(57)【要約】  本発明は、ファンを備え、活性物質を気化させる装置に関する。本発明による活性物質用装置（３）は、吸い上げ芯（６）を設けられた活性物質用のコンテナと、通常の動作状態におけるディフューザーの動作のための第１加熱抵抗器（８）と、を備える。本装置は、電子回路（１０）を介して第２の補助加熱抵抗器（９）に接続された一つの押しボタン（１２）をさらに備える。第２加熱抵抗器（９）は、前記吸い上げ芯（６）の近傍において、前記第１加熱抵抗器（８）と同一のチャンネルで前記第１加熱抵抗器（８）の直後に配置されている。本発明によれば、押しボタン（１２）が押されると、第２加熱抵抗器が動作する。押しボタン（１２）は、同時に、ファン（４）を作動させ又はファン（４）速度を上昇させ、通常動作モードから強化された動作モードへ変更して活性物質の気化および拡散を大幅に且つ瞬間的に増大させる。
2008513072.tif 000002
【特許請求の範囲】
【請求項１】
ベース（１）と、空気を入れるため及び活性物質を放出するためのスロットが設けられたケース（２）と、活性物質用のコンテナ装置（３）と、ファン（４）と、任意で気化強さ調節器（７）に接続された、前記活性物質用コンテナ装置（３）の吸い上げ芯（６）と、プラグ（５）と、前記プラグ（５）を用いてプラグ接続された場合に、加熱されて前記活性物質を外部に拡散させる第１加熱抵抗器（８）と、を含むタイプの気化装置において、
同一のチャンネル内の前記第１加熱抵抗器（８）の後方であって前記吸い上げ芯（６）の近傍に配置された第２の追加の加熱抵抗器（９）へ、電子回路（１０）を介して接続された一つのボタン（１２）をさらに含み、
前記ボタンが押されると、通常動作モードからブースト動作モードへの変更が行われ、活性物質の気化および拡散が大幅に且つ直ちに増大する
ことを特徴とするファンを備えた活性物質用の気化装置。
【請求項２】
前記ボタン（１２）は、前記電子回路（１０）を介して前記ファン（４）に接続され、
前記ボタンを操作すると、前記第２加熱抵抗器（９）のスイッチが入り、ファン（４）をブースト拡散モードに移行させる
ことを特徴とする請求項１に記載のファンを備えた活性物質用の気化装置。
【請求項３】
前記ファン（４）は、前記装置がプラグ接続された場合に一定の速度で動作するよう、前記プラグ（５）に連続的に接続されている
ことを特徴とする請求項１に記載のファンを備えた活性物質用の気化装置。
【請求項４】
前記ボタン（１２）は、前記ファン（４）の速度を調節するための手段に前記電子回路（１０）を介して接続され、
前記ボタンを操作すると、前記第２加熱抵抗器（９）のスイッチが入り、前記ファン（４）の速度が上昇し、ブースト拡散モードに移行する、
ことを特徴とする請求項１または３に記載のファンを備えた活性物質用の気化装置。
【請求項５】
前記ボタン（１２）には、前記第２加熱抵抗器（９）の動作状態を示す発光インジケータ（１１）が接続されている
ことを特徴とする請求項１，２または４に記載のファンを備えた活性物質用の気化装置。
【請求項６】
前記ブーストモードを停止させるための手段を有する
ことを特徴とする請求項１乃至５のいずれか一項に記載のファンを備えた活性物質用の気化装置。
【請求項７】
前記停止手段は前記ボタン（１２）を含み、このボタンが再び押された場合に、ブーストモードから通常動作モードへ切り換わる
ことを特徴とする請求項６に記載のファンを備えた活性物質用の気化装置。
【請求項８】
前記停止手段はタイマーを含み、このタイマーは、予め定められた期間の後に、ブーストモードから通常動作モードへの切り換えを行う
ことを特徴とする請求項６または７に記載のファンを備えた活性物質用の気化装置。
【発明の詳細な説明】
【発明の目的】
【０００１】
本発明は、香料や殺虫剤等の活性物質（active substances）用の気化装置であって、活性物質を拡散させるのに適したファンおよび加熱手段が組み込まれたタイプの気化装置に関する。
【０００２】
本発明の目的は、簡単であり且つ使用者が必要とするように迅速に応答して活性物質の気化および拡散を大幅に増大させることができ、これにより、活性物質を瞬間的に知覚することができるようにした作動手段が組み込まれた気化装置を提供することである。
【発明の背景】
【０００３】
活性物質用気化装置は、全体として、活性物質用のコンテナ装置を含む。活性物質は、吸い上げ芯によって、外部へ続くスロットが設けられたケーシングを介して外部へ拡散される。ファンを組み込むことは、気化の程度を増大し活性物質の放出を促すことに寄与する追加の手段であると考えられている。
【０００４】
国際特許公開第ＷＯ０１／０２０２５号の場合、電池により電力が供給されるディスペンサーが、装置の空気入口と出口との間に配置された揮発性物質用の装置と、空気を装置内部に入れ、この空気を揮発性物質とともに外部に送るファンと、を備えていることが理解される。さらに、装置に収容された揮発性物質の量の減少に対応した低い電池レベルのために、ファンへの電力供給を停止するカットアウトシステムが設けられている。
【０００５】
国際特許公開第ＷＯ０３／０８６４８７号は、電気気化器に関する。この気化器には、基本的には、外部吸い上げ芯と、加熱手段と、ファンと、活性物質が通過して外部に出て行くグリッド構造と、を備えた活性物質用の装置が組み込まれている。さらに、活性物質の気化の程度を調節するため、吸い上げ芯を内部加熱手段に近付けたり又は離したりして吸い上げ芯の位置を制御する回転ホイールが組み込まれている。
【０００６】
この場合、加熱手段に関する吸い上げ芯の相対的な位置を変化させる前記ホイールを手作業で調節することによって、活性物質の大量放出と関連した調節手段を提供する。調節がゆっくりとしていると、ある時間が経過するまで、知覚（認識）することが遅延される。
【０００７】
国際特許公開第ＷＯ００／６９４７９号には、ロータおよびコイルによって形成された電動モータを含む、揮発性物質用気化装置が記載されている。この電動モータは、電流を加えたときにコイルが熱および磁界を発生させ、これによってロータが回転するように構成されている。コイルの熱の作用によって揮発性材料を気化させるため、揮発性材料はロータと隣接して配置されており、ロータに連結されたファンにより活性物質は外部に放出させられる。
【０００８】
上文中に引用した特許のいずれにも、以下に説明する本発明の装置等の一定拡散システムからの活性物質の放出を大幅に且つ直ちに加速することができる、活性物質用気化装置に関する言及はない。
【発明の開示】
【０００９】
本発明の目的を達成する、ファンを備えた活性物質用気化装置は、加熱エレメントを備えた永久的拡散システム（常設の拡散システム）により作動させられ、追加の加熱エレメントのスイッチを直ちに入れ、ファンと協働して活性物質の気化および前記物質の大気中での拡散をいきなり増大する作動手段を使用することにより、上述の期待に十分に応える。
【００１０】
このようにファン及び追加の加熱エレメントを作動させることにより、外部への活性物質の放出を大幅に増大させられる（ブーストされる）。他のシステムとは異なり、こうした増大（ブースト）が使用者に直ちに知覚される。
【００１１】
加熱エレメントは、空気流が通過するチャンネル（空気流の通過経路）内において、一つの加熱エレメントが他の加熱エレメントの後方に配置されている。空気流は、さらに、吸い上げ芯を横切り、これによって空気流による引き込み（drag）の効率を向上させる。
【００１２】
装置の三つの可能な実施例を説明する。これらの実施例は、加熱エレメントが組み込まれていることが共通している。加熱エレメントは、通常動作モードでは、単一の熱放射源を形成し、これにより永久的拡散システム（常設の拡散システム）を形成する。
【００１３】
装置の一つの可能な実施例は、使用者がブーストボタンを押すことにより、追加の加熱エレメントおよびファンを同時に作動させる実施例である。追加の加熱エレメントは、気化速度を上昇するフルパワーシステムを形成し、ファンにより装置内部を通過する流れは、活性物質の気化および拡散に寄与する。
【００１４】
第２実施例では、ファンは、装置をプラグ接続（plugged in）したとき（装置をコンセントに差し込んだとき）に作動させられ、ボタンを操作すると、追加の加熱エレメントのスイッチを入れることだけが行われる。
【００１５】
第３実施例では、ファンの動作は、第２実施例と同様に、装置をプラグ接続したときに行われる。ボタンを操作することにより、追加の加熱エレメントのスイッチを入れ、ファンの速度を上昇させる。
【００１６】
ブーストモード中、発光インジケータがこの作動状況を光で示す。
【００１７】
ブーストモードの持続時間は、通常、予め定められている。また、ブーストモードの持続時間は電気回路にプログラムしておくことができ、このプログラムにより、ブーストモードがいったん完了すると装置は通常動作モードに自動的に戻される。この目的のため、装置は、この拡散ブースト状態が生じている時間を制御するタイマーを備えていてもよい。
【００１８】
ブーストモードを停止するための別の方法は、ボタンを再び押すことである。
【００１９】
気化装置は、さらに、吸い上げ芯に連結されたエレメントを備えていてもよい。このエレメントにより、気化の強さの調節を行うことができる。
【００２０】
このように設計された気化装置は、構造および機能が非常に簡単であり、これにより、ボタンに圧力を加えるだけで拡散システムを変化させることができ、使用者は、これに続いて、活性物質が大幅に増大していることを実際に直ちに知覚する。
【発明を実施するための形態】
【００２１】
以上の説明を補足するため並びに本発明の特徴をさらによく理解することを補助する目的のため、本発明による好ましい実地的な実施の形態に沿った、説明と一体の部分をなす一組の図面を、例示として、非限定的に提供する。
【００２２】
図１には、ファンを備えた活性物質（有効物質、作用物質、反応性物質、active substances）用の気化装置の外部形体が示してある。この装置は、従来と同様に、ベース（１）、空気を入れるため及び活性物質を放出するためのスロットが設けられたケース（２）、および、活性物質用コンテナ装置（３）を備えている。
【００２３】
図２および図３において理解されるように、装置内部には、ファン（４）と、活性物質用コンテナ装置（３）の吸い上げ芯（６）と、プラグ（５）とが設けられている。活性物質用コンテナ装置（３）の吸い上げ芯（６）は、任意で、気化強さ調節器（気化程度調節器、気化レベル調節器）（７）に接続されている。
【００２４】
従来通りの方法として及び装置の通常の動作のため、装置は、第１加熱抵抗器（８）を有する。第１加熱抵抗器は、装置のプラグ（５）をコンセントに差し込んだときに加熱され、かくして活性物質を外部に拡散させる。
【００２５】
一つのボタン（１２）は、第２の追加の加熱抵抗器（９）に電子回路（１０）を介して接続されている。第２の追加の加熱抵抗器（９）は、吸い上げ芯（６）の近くにおいて、第１加熱抵抗器（８）と同じチャンネル（通路、経路、channel）内であって第１加熱抵抗器（８）の後方に配置されている。このため、ディフューザー装置は、上文中に説明した基本的構成を採用しているが、基本的に異なっている。このボタンが押されると、通常動作モードからブースト動作モードへの変更が行われ、活性物質の気化および拡散が大幅に且つ直ちに増大するようになる。
【００２６】
第１の実施の形態において、ボタン（１２）は、さらに、電子回路（１０）を介してファン（４）に接続されている。このボタンを操作することにより、第２加熱抵抗器（９）のスイッチが入り、ファン（４）がブースト拡散モードに移行する。
【００２７】
第２の実施の形態において、ファン（４）は、装置がコンセントに差し込まれた場合に一定の速度で動作するよう、プラグ（５）に連続的に接続されている。この結果、ボタンを操作した場合、第２加熱抵抗器（９）のスイッチが入ることだけが実行される。
【００２８】
第３の実施の形態において、ファン（４）は、第２の実施の形態と同様に、装置をコンセントに差し込んだときに動作し、ボタン（１２）は、ファン（４）の速度を調節する手段に電子回路（１０）を介して接続されている。ボタンを操作することにより、第２加熱抵抗器（９）のスイッチが入り、ファン（４）の速度が上昇し、ブースト拡散モードに移行する。
【００２９】
ボタン（１２）には、さらに、ボタン（１２）の作動状態を示す発光インジケータ（１１）が連結されている。
【００３０】
気化装置は、ブーストモードを停止する手段を有する。この手段はボタン（１２）を含み、このボタンは、押されることによってブーストモードから通常動作モードへの切り換えを行う。あるいは、この手段は、通常動作モードへ移行するまでの所定期間が経過するまで、ブーストモードで作動させるようにするタイマーを備えている。
【図面の簡単な説明】
【００３１】
【図１】図１は、ファンを持つ活性物質用気化装置の斜視図である。
【図２】図２は、一つの抵抗器が動作している通常動作モードに相当する状態において、装置を示す断面図であり、装置を構成するエレメントが示されている図である。
【図３】図３は、追加の抵抗器およびファンが動作しているブースト動作モードの動作状態にある気化装置を示す断面図であり、ファンによって生成された空気流が示されている図である。
【図１】
2008513072.tif 000003
【図２】
2008513072.tif 000004
【図３】
2008513072.tif 000005
【国際調査報告】
2008513072.tif 000006
2008513072.tif 000007
2008513072.tif 000008
2008513072.tif 000009